(57)【特許請求の範囲】
【請求項１】
被保持体の脚部を挿入孔に着脱可能に保持するための保持装置において、
上記脚部の下端部が挿入される上記挿入孔が形成された保持体と、
上記脚部の下端部に一端部を嵌合させ他端部を上記脚部の下端から突出させて設けられるとともに上記他端部に径方向に貫通するスライド孔及びこのスライド孔と交差して軸方向に貫通する取付け孔が形成された軸状部材と、
先端部に傾斜面と係止面とが形成され上記軸状部材の上記スライド孔にスライド可能に収容されるとともにスライド方向と交差する方向に挿通孔が形成されこの挿通孔の内面に突起が設けられたスライド部材と、
上記脚部の下端部に外嵌固定され周壁に上記スライド孔と対向位置する係止孔が穿設された筒状体と、
上記軸状部材に形成された取付け孔にスライド可能かつ抜出不能に挿入され中途部にスライド位置に応じて上記突起がそれぞれ係合する第１の凹部と第２の凹部とが形成された操作部材と、
この操作部材を下降方向に付勢した第１のばねと、
上記スライド部材を先端部が上記筒状体の係止孔から突出する方向に付勢するとともに、上記突起を上記第１の凹部に係合させて上記先端部の傾斜面だけを上記係止孔から突出させた第１の状態及び上記突起を第２の凹部に係合させて上記先端部の係止面を傾斜面とともに上記係止孔から突出させた第２の状態とに保持する第２のばねとを具備し、
上記第２の状態において、上記操作部材を第１のばねの付勢力に抗して上昇方向へスライドさせることで、上記スライド部材がスライド孔に入り込む方向にスライドして上記第１の状態になることを特徴とする被保持体の保持装置。
【発明の詳細な説明】
【０００１】
【発明の属する技術分野】
この発明は被保持体に設けられた脚部を挿入孔に着脱可能に保持するための保持装置に関する。
【０００２】
【従来の技術】
たとえば、病人用のベッド装置においては、上面にマットレスが載置される床フレ−ムを有し、この床フレ−ムの長手方向一端側にはパイプ材で形成されたヘッドフレ−ムが設けられ、他端側には同じくパイプ材で形成されたフットフレ−ムが設けられている。
【０００３】
上記ヘッドフレ−ムとフットフレ−ムとは、パイプ材をほぼ逆Ｕ字状に曲成してなり、その幅方向両端部が脚部となっている。この脚部は、上記床フレ−ムの長手方向両端部の角部に設けられた保持体の挿入孔に挿入される。
【０００４】
上記脚部は、上記保持体に固定されず、その挿入孔に単に挿入されるだけの場合があるが、固定されていないと不用意な外力によって脚部が挿入孔から外れる虞があるため、上記脚部を保持体に固定するということが行われている。
【０００５】
脚部を保持体に固定する場合、上記保持体の外周面から上記挿入孔に連通するねじ孔を形成し、このねじ孔にねじを捩じ込んで先端を挿入孔に挿入された脚部の外周面に圧接させることで、この脚部を固定するということが行われる。
【０００６】
しかしながら、このような固定手段によると、保持体の外周面にねじが突出しているから、そのねじに衣服や身体を引っ掛けるということがあったり、外観の低下を招くということもあった。さらに、上記保持体が薄肉パイプからなる場合、上記脚を確実に固定するためにねじを強く捩じ込むと、その反力で上記保持体が変形してしまったり、ねじ孔が損傷してしまうということがあった。しかも、上記ねじを締め付けたり、緩めるためには工具を用いなければならないから、作業性が悪いということもあった。
【０００７】
そこで、本件出願人は特願平１０−３９００８号に示すフレームの保持装置を提案した。この保持装置は、フレームの脚部が挿入保持される保持部材の挿入孔に外筒を挿入固定し、この外筒に内筒を着脱自在に挿入する。この内筒の下端部には径方向に弾性変形可能で、上記外筒の下端部に形成された係合部に弾性的に係合して内筒が外筒から抜出するのを防止する係合片を設ける。
【０００８】
上記内筒の下端部には解除部材をスライド可能に設ける。このスライド部材を下方へスライドさせることで、上記係合片を径方向内方に弾性変形させ、この係合片と上記外筒の係合部との係合を外すようにしている。
【０００９】
【発明が解決しようとする課題】
ところで、解除部材を内筒の下端部にスライド可能に設けるようにすると、内筒を外筒内に挿入する構成上、上記解除部材の外形寸法を外筒の内径寸法以上に大きくすることができないばかり、上記保持部材の挿入孔の下端から突出する長さ寸法もあまり長くすることができない。
【００１０】
そのため、内筒を外筒から取外すために、解除部材を下方へスライドさせる場合、上記解除部材が把持し難いため、操作性が悪いということがあった。しかも、解除部材を下方へスライドさせるには、内筒の下端部に形成された係合片を径方向内方へ弾性変形させなければならないから、解除部材の操作にかなりの操作力が必要となり、そのことによっても操作がし難いということがあった。
【００１１】
この発明は、保持体の挿入孔に被保持体の脚部を確実かつ容易に着脱することができるようにした被保持体の保持装置を提供することにある。
【００１２】
【課題を解決するための手段】
請求項１の発明は、被保持体の脚部を挿入孔に着脱可能に保持するための保持装置において、
上記脚部の下端部が挿入される上記挿入孔が形成された保持体と、
上記脚部の下端部に一端部を嵌合させ他端部を上記脚部の下端から突出させて設けられるとともに上記他端部に径方向に貫通するスライド孔及びこのスライド孔と交差して軸方向に貫通する取付け孔が形成された軸状部材と、
先端部に傾斜面と係止面とが形成され上記軸状部材の上記スライド孔にスライド可能に収容されるとともにスライド方向と交差する方向に挿通孔が形成されこの挿通孔の内面に突起が設けられたスライド部材と、
上記脚部の下端部に外嵌固定され周壁に上記スライド孔と対向位置する係止孔が穿設された筒状体と、
上記軸状部材に形成された取付け孔にスライド可能かつ抜出不能に挿入され中途部にスライド位置に応じて上記突起がそれぞれ係合する第１の凹部と第２の凹部とが形成された操作部材と、
この操作部材を下降方向に付勢した第１のばねと、
上記スライド部材を先端部が上記筒状体の係止孔から突出する方向に付勢するとともに、上記突起を上記第１の凹部に係合させて上記先端部の傾斜面だけを上記係止孔から突出させた第１の状態及び上記突起を第２の凹部に係合させて上記先端部の係止面を傾斜面とともに上記係止孔から突出させた第２の状態とに保持する第２のばねとを具備し、
上記第２の状態において、上記操作部材を第１のばねの付勢力に抗して上昇方向へスライドさせることで、上記スライド部材がスライド孔に入り込む方向にスライドして上記第１の状態になることを特徴とする被保持体の保持装置にある。
【００１３】
この発明によれば、脚部を挿入孔に保持するときには、この脚部を挿入孔に挿入してスライド部材の係止面を挿入孔の下端面に係止させればよく、挿入孔に保持された脚部を取外すときには、下降状態にある操作部材を第１のばねの付勢力に抗して上昇させれば、上記係止面と挿入孔の下端面との係合を外すことができる。
【００１４】
【発明の実施の形態】
以下、この発明の一実施の形態を図面を参照して説明する。
【００１５】
図１はベッド装置を示し、このベッド装置はストッパ付きのキャスタ２によって移動自在に形成されたベ−スフレ−ム１を備えている。このベ−スフレ−ム１上には上下駆動機構３によって上下動可能に上下フレ−ム４が設けられている。この上下フレ−ム４は矩形枠状に形成されていて、その四隅部には保持体５が設けられている。この保持体５は図２に示すように上部材６と下部材７とに分割された枠状をなしていて、これらの部材６，７をねじなどで接合固定することで形成されている。この保持体５には上記上下フレ−ム４を構成する長尺杆８が挿入される第１の挿入部９と、この第１の挿入部９に対して直交し、上記上下フレ−ム４を構成する短尺杆１１が挿入される第２の挿入部１２とが形成されている。
【００１６】
上記保持体５は上下フレ−ム４の幅方向両側に突出していて、その突出端部には被保持体としての金属パイプによって形成されたヘッドボ−ド柵１３とフットボ−ド柵１４との下端部を挿入保持する挿入孔１６が形成されている。
【００１７】
上記上下フレ−ム４の幅方向両側に設けられた一対の保持体５の挿入孔１６には上記各ボ−ド柵１３，１４の幅方向両端の脚部１３ａ，１４ａの下端部が挿入され、後述する保持装置３０によって上記保持体５に着脱可能に保持されるようになっている。
【００１８】
上記上下フレ−ム４の上面には床板１７が設けられている。この床板１７は複数の床部、この実施形態では第１乃至第５の床部１７ａ〜１７ｅに分割されている。中央の第３の床部１７ｃは上下フレ−ム４に固定され、この床部１７ｃの一側には第２の床部１７ｂと第１の床部１７ａが順次回動自在に連結され、他側には残りの２つの第４の床部１７ｄと第５の床部１７ｅが順次回動自在に連結されている。
【００１９】
上記上下フレ−ム４には駆動機構２１が設けられている。この駆動機構２１は回動駆動される第１のア−ム２２と第２のア−ム２３を有する。第１のア−ム２２の先端部には一対のロ−ラ２４が回転自在に設けられ、このロ−ラ２４は第１の床部１７ａの下面の長手方向に沿って設けられたレ−ル２５に転動自在に係合している。したがって、上記第１のア−ム２２が起立方向に回動させられると、第１の床部１７ａと第２の床部１７ｂとが起立方向に上昇させられるようになっている。
【００２０】
上記第２のア−ム２３の先端部にはロ−ラ２６が設けられ、このロ−ラ２６は第４の床部１７ｄの下面に転接する。したがって、この第２のア−ム２３が起立方向に回動すると、上記第４の床部１７ｄが起立方向に上昇するから、この上昇に第５の床部１７ｅも連動し、これら床部１７ｄ，１７ｅがほぼへの字状に屈曲するようになっている。
【００２１】
なお、上記上下フレ−ム４と第５の床部１７ｅとはリンク２７によって連結され、上記第４の床部１７ｄに連動して上昇した第５の床部１７ｅをその状態で保持するようになっている。
【００２２】
図４と図５に示すように、上記各ボ−ド柵１３，１４の脚部１３ａ，１４ａの下端部は、上述した保持装置３０によって上記保持体５に着脱自在に取付けられている。
【００２３】
上記保持装置３０は軸状部材３１を有する。この軸状部材３１は大径部３１ａと小径部３１ｂとが一体形成されてなり、小径部３１ｂを上記各脚部１３ａ，１４ａの下端部に嵌合させてねじ２９で固定され、大径部３１ａを下端面から突出させて設けられている。
【００２４】
各脚部１３ａ，１４ａの下端部には筒状体３２が外嵌固定されている。この筒状体３２の下端には上記大径部３１ａの下端面に係合するフランジ３３が形成され、周壁には矩形状の係止孔３４が穿設されている。
【００２５】
上記軸状部材３１には、その大径部３１ａに径方向に貫通したスライド孔３５が穿設され、軸方向にはこのスライド孔３５と交差した取付け孔３６が穿設されている。上記スライド孔３５にはスライド部材３７がスライド可能に収容されている。
【００２６】
上記スライド部材３５にはスライド方向と交差する方向に挿通孔３８が穿設され、この挿通孔３８の内面には図５（Ａ）に示すように突起３９が設けられている。さらに、小径部３１ｂには一端をその上端面に開放し他端を上記スライド孔３５に連通させた断面矩形状の矩形孔４０が穿設されている。
【００２７】
上記スライド部材３５には水平な係止面４１及び山形状をなした上側傾斜面４２と下側傾斜面４３とが形成された先端部４４が設けられている。この先端部４４が後述するように上記筒状体３２に形成された係止孔３４に突没するようになっている。
【００２８】
上記軸状部材３１の軸方向に貫通した上記取付け孔３６には操作部材４６がスライド可能に挿通されている。この操作部材４６は、図４に示すように上記筒状体の下端に形成されたフランジ３３の内径寸法よりもわずかに小径な円盤状の操作部４７を有する。この操作部４７には角軸部４８が突設され、この角軸部４８の上端には円柱軸部４９が突設されている。円柱軸部４９の上端には周回溝５１が形成され、この周回溝５１にはＥリング５２が取着されている。
【００２９】
それによって、取付け孔３６にスライド可能に設けられた操作部材４６は、下端の操作部４７と上端のＥリング５２とによって取付け孔３６に抜出不能に保持されている。
【００３０】
上記操作部材４６の角軸部４８には側面形状が矩形状の第１の凹部５３と、この第１の凹部５３よりも上方に第１の凹部５３よりも深く、しかも下端が傾斜面５４ａに形成された第２の凹部５４とが形成されている。
【００３１】
上記操作部材４６の円柱軸部４９には、下端が上記角軸部４８の上端面に係合する、コイルスプリングからなる第１のばね５６が装着されている。上記スライド部材３６は第２のばね５７によって先端部４４が上記係止孔３４から突出する方向に付勢されている。
【００３２】
上記第２のばね５７はほぼＬ字状に屈曲された板ばねからなり、その一端部は上記第１のばね５６を圧縮した状態で、上記軸状部材３１の上端面にねじ５８によって固定されている。この第２のばね５７の他端部は円弧部５７ａに曲成され、この円弧部５７ａは上記スライド部材３７の挿通孔３８の内面の先端部４４側に弾性的に当接させている。それによって、上記スライド部材３７は先端部４４が筒状体３２の係止孔３４から突出する方向に付勢されている。
【００３３】
つぎに、上記構成の保持装置３０によって各フレーム１３，１４の脚部１３ａ，１４ａを保持体５の挿入孔１６に着脱する際の動作を図５（Ａａ）〜（Ｄ）を参照して説明する。
【００３４】
脚部１３ａ，１４ａが挿入孔１６から取外されているときには、図５（Ａ）に示すように操作部材４６の第１の凹部５３にスライド部材３７の突起３９が係合し、この操作部材４６は第１のばね５６を圧縮し、取付け孔３６内を上昇した位置で保持される。
【００３５】
突起３９が第１の凹部５３に係合した状態において、スライド部材３７の先端部４４は、第１の凹部５３の深さ寸法によって筒状体３２の係止孔３４から上側傾斜面４２と下側傾斜面４３を突出させている。この状態を第１の状態とする。
【００３６】
保持装置３０が図５（Ａ）に示す第１の状態において、脚部１３ａ，１４ａを保持体５の挿入孔１６に挿入すると、スライド部材３７の先端部４４の下側傾斜面４３が上記挿入孔１６の内周面に当接するから、図５（Ｂ）に示すようにスライド部材３７が第２のばね５７の付勢力に抗してスライド孔３５に入り込む方向にスライドする。
【００３７】
スライド部材３７が没入方向にスライドすると、突起３９が第１の凹部５３から外れるから、操作部材４６が第１のばね５６の付勢力によって下降方向へスライドする。
【００３８】
脚部１３ａ，１４ａをさらに挿入孔１６に挿入し、図５（Ｃ）に示すように筒状体３２に形成された係止孔３４が保持体５の下端面よりも下方に位置すると、それまで第２のばね５７の付勢力に抗してスライド孔３５内に入り込んでいたスライド部材３７の先端部４４が上記係止孔３４から突出し、突起３９が第２の凹部５４に係合する。
【００３９】
第２の凹部５４は上記第１の凹部５３よりも深さ寸法が大きいから、突起３９が第１の凹部５３に係合した場合よりも、スライド部材３７の先端部４４の係止孔３４からの突出寸法が大きくなる。
【００４０】
それによって、上記先端部４４の係止面４１が筒状体３２の係止孔３４から突出し、保持体５の下端面（挿入孔１６の下端面）に係合するから、脚部１３ａ，１４ａは保持体５の挿入孔１６に抜出不能に保持されることになる。この状態を第２の状態とする。第２の状態では、スライド部材３７の突起３９が操作部材４６の第２の凹部５４に係合し、この操作部材４６が下降した位置で保持される。
【００４１】
すなわち、保持装置３０が設けられた脚部１３ａ，１４ａを保持体５の挿入孔１６に挿入するだけで、上記脚部１３ａ，１４ａを上記挿入孔１６に抜出不能に保持することができる。
【００４２】
このようにして上下フレーム４に取付けられた各ボード柵１３，１４を取外す場合には、図５（Ｃ）の突起３９が第２の凹部５４に係合した第２の状態にある操作部材４６の操作部４７を手指で押し上げる。それによって、図５（Ｄ）に示すように第２の凹部５４の傾斜面５４ａがスライド部材３７の突起３９に沿ってスライドするから、突起３９と第２の凹部５４との係合が外れ、突起３９は第１の凹部５３に係合する。
【００４３】
突起３９が第１の凹部５３に係合すると、スライド部材３７は図５（Ｃ）に示す状態よりも後方へスライドし、その先端部４４の上側傾斜面４２と下側傾斜面４３とが筒状体３２の係止孔３４から突出し、また操作部材４６は上昇した位置で保持される。つまり、図５（Ａ）に示す第１の状態と同じ状態となる。
【００４４】
この状態で脚部１３ａ，１４ａを上昇させて保持体５の挿入孔１６から抜出すると、スライド部材３７の先端部４４の上側傾斜面４２が上記挿入孔１６の内周面に当たるから、スライド部材３７の先端部４４は筒状体３２の係止孔３４内へ没入する。そのため、脚部１３ａ，１４ａを上記挿入孔１６から抜出することができる。
【００４５】
脚部１３ａ，１４ａを上記挿入孔１６から抜出する際、図５（Ｂ）に示す状態となってスライド部材３７の突起３９が第１の凹部５３から外れるから、操作部材４６は第１のばね５６の復元力によって下降する。
【００４６】
脚部１３ａ，１４ａをさらに上昇させて上記挿入孔１６から抜出すると、操作部材４６が下降した状態でスライド部材３７の先端部４４が第２のばね５７の付勢力によって筒状体３２の係止孔３４から突出する。
【００４７】
そのため、上記スライド部材３７の突起３９は第２の凹部５４に係合し、操作部材４６を下降した位置で保持する。つまり、スライド部材３７は係止孔３４から上下の傾斜面４２，４３とともに係止面４１を突出させた第２の状態で保持される。
【００４８】
挿入孔１６から脚部１３ａ，１４ａを抜出すると、操作部材４６は第２の状態となり、図５（Ａ）に示す第１の状態とはならない。しかしながら、第２の状態で脚部１３ａ，１４ａを挿入孔１６に挿入しても、スライド部材３７は先端部４４の下側傾斜面４３が上記挿入孔１６の内周面に当たって没入方向へスライドするから、挿入孔１６に挿入可能である。
【００４９】
つまり、脚部１３ａ，１４ａは、操作部材４６が第１の状態と第２の状態のいずれの状態であっても、挿入孔１６に挿入して抜出不能に保持することができる。
【００５０】
このように、この発明の保持装置３０によれば、スライド部材３７が第１の状態と第２の状態とのいずれの状態にあっても、脚部１３ａ，１４ａを保持体５の挿入孔１６に挿入することができる。そして、脚部１３ａ，１４ａを所定の位置、つまりスライド部材３７の先端部４４が保持体５の下端面よりも下方になる位置まで挿入すれば、上記スライド部材３７が第２のばね５７の付勢力によって自動的に突出して保持体５の下端面に係合するから、抜出不能な状態で保持されることになる。
【００５１】
脚部１３ａ，１４ａを、挿入孔１６から抜出する場合には、図５（Ｃ）に示すように下降状態にある操作部材４６の操作部４７を押してこの操作部材４６を第１のばね５６の付勢力に抗して上昇させ、係止面４１と保持体５の下面との係合を外したのち、脚部１３ａ，１４ａを挿入孔１６から抜出すればよい。
【００５２】
そのため、脚部１３ａ，１４ａを簡単な操作で、容易に保持体５の挿入孔１６から抜出することができる。
【００５３】
この発明は上記一実施の形態に限定されるものでなく、種々変形可能である。たとえば、被保持体としてベッド装置のヘッドボード柵とフットボード柵を挙げたが、ベッドフレームの側部に着脱可能に設けられる側柵であってもよく、さらにベッド装置以外においても、着脱可能に設ける必要がある被保持体であれば、この発明を適用することができる。また、被保持体の脚部の数は２本に限定されず、１本或いは３本以上であってもよい。
【００５４】
【発明の効果】
この発明によれば、保持体の挿入孔に脚部を保持する場合には、その脚部を上記挿入孔に挿入するだけで、スライド部材を保持体に係合させて抜出不能に保持することができ、抜出するときには操作部材を上昇方向に押すことで、上記スライド部材と保持体との係合を外して脚部を挿入孔から抜き取ることができる。つまり、脚部を挿入孔から簡単な操作で、しかも容易に抜出する事ができる。
【図面の簡単な説明】
【図１】この発明の一実施の形態を示すベッド装置の側面図。
【図２】保持体の分解斜視図。
【図３】ボ−ド柵の正面図。
【図４】保持装置の分解斜視図。
【図５】脚部を保持体の挿入孔に挿入する動作及び抜出動作を示す説明図。
【符号の説明】
５…保持体
１３、１４…ボ−ド柵（被保持体）
１３ａ、１４ａ…脚部
１６…挿入孔
３１…軸状部材
３２…筒状体
３４…係止孔
３５…スライド孔
３６…取付け孔
４６…操作部材
５３…第１の凹部
５４…第２の凹部
５６…第１のばね
５７…第２のばね
【図１】
0004708618.tif 000002
【図２】
0004708618.tif 000003
【図３】
0004708618.tif 000004
【図４】
0004708618.tif 000005
【図５】
0004708618.tif 000006